【手続補正書】
【提出日】平成19年9月5日(2007.9.5)
【手続補正１】
【補正対象書類名】明細書
【補正対象項目名】特許請求の範囲
【補正方法】変更
【補正の内容】
【特許請求の範囲】
【請求項１】
複数の素材映像データを編集して１個の番組データを生成する映像編集装置であって、
複数の素材映像データを編集して生成された１個の番組データを記憶している番組データ記憶手段と、
各素材映像データに対応付けて著作権の基本使用料を記憶している使用料記憶手段と、
前記使用料記憶手段に記憶されている各素材映像データに対応付けられた基本使用料を用いて、前記番組データの著作権の総使用料を算出する算出手段とを備え、
前記番組データ記憶手段に記憶されている前記番組データは、複数個の編集映像データから構成されており、各編集映像データは、前記複数の素材映像データのうちのいずれか１個の素材映像データを元にして生成され、前記素材映像データの全体又は部分の映像データであり、
前記使用料記憶手段は、素材映像データのうちの使用する映像データの長さに応じた著作権の基本使用料を記憶しており、
前記算出手段は、前記番組データを構成する編集映像データ毎に、前記編集映像データの元の素材映像データに対応付けて記憶されている前記著作権の基本使用料を用いて、前記編集映像データの長さに応じて、前記編集映像データの著作権の使用料を算出し、編集映像データ毎に算出した著作権の使用料を合計して前記番組データの著作権の総使用料を算出する
ことを特徴とする映像編集装置。
【請求項２】
前記映像編集装置は、さらに、
利用者より著作権の総使用料の限度額の入力を受け付ける限度額受付手段と、
前記算出手段により算出された前記番組データの著作権の総使用料と、入力が受け付けられた限度額とを比較して、算出された総使用料が限度額より大きいか否かを判断する限度額判断手段と、
前記限度額判断手段により、総使用料が限度額より大きいと判断される場合に、その旨を示す警告を利用者に対して出力する警告手段と
を含むことを特徴とする請求項１に記載の映像編集装置。
【請求項３】
前記映像編集装置は、さらに、
前記番組データ記憶手段に記憶されている前記複数個の編集映像データのいずれかについて、編集映像データの一部を削除する映像再編集手段と、
前記限度額判断手段により、著作権の総使用料が限度額より大きいと判断される場合に、算出された前記著作権の総使用料が、入力が受け付けられた限度額を超えないようになるまで、前記映像再編集手段、算出手段及び限度額判断手段に対して、編集映像データの一部の削除、著作権の総使用料の算出、及び限度額の判断を繰り返すように制御する繰返制御手段とを含む
ことを特徴とする請求項２に記載の映像編集装置。
【請求項４】
素材映像データは、複数の部分映像データから構成され、
前記番組データ記憶手段に記憶されている各編集映像データは、素材映像データを構成する複数の部分映像データから選択されたいくつかの部分映像データから構成され、
前記使用料記憶手段は、各素材映像データを構成する部分映像データ毎に、使用する際に削除が可能か否かを示す削除可否情報を対応付けて記憶しており、
前記映像再編集手段は、編集映像データを構成する部分映像データのうち、削除が可能であること示す削除可否情報が対応付けられて記憶されている部分映像データの一部を削除する
ことを特徴とする請求項３に記載の映像編集装置。
【請求項５】
前記映像編集装置は、素材映像データが使用された場合に著作権の使用料に相当する課金情報を受信する課金管理装置に通信回線を介して接続され、さらに、
前記算出手段により算出された番組データの著作権の総使用料に相当する課金情報を通信回線を介して前記課金管理装置へ送信する課金情報通信手段
を含むことを特徴とする請求項１に記載の映像編集装置。
【請求項６】
素材映像データ毎に、素材映像データを使用するための１以上の利用条件が設定されており、
前記使用料記憶手段に記憶されている素材映像データ毎の著作権の基本使用料は、素材映像データの利用条件に対応づけて値を有し、
前記算出手段は、
利用者より番組データを使用するための利用条件の入力を受け付ける利用条件受付手段と、
入力を受け付けた利用条件に対応する著作権の基本使用料を前記使用料記憶手段から読み出し、読み出した著作権の基本使用料を用いて、前記番組データの著作権の総使用料を算出する使用料算出手段と
を含むことを特徴とする請求項１に記載の映像編集装置。
【請求項７】
前記利用条件は、素材映像データの利用形態、素材映像データの利用時のセキュリティレベル、素材映像データの作成時点からの経過時間又は素材映像データの画質であり、
前記使用料記憶手段に記憶されている素材映像データ毎の著作権の基本使用料は、素材映像データの利用形態、素材映像データの利用時のセキュリティレベル、素材映像データの作成時点からの経過時間又は素材映像データの画質に対応づけて値を有し、
前記利用条件受付手段は、番組データの利用形態、番組データの利用時のセキュリティレベル、素材映像データの作成時点からの経過時間又は素材映像データの画質の入力を受け付け、
前記使用料算出手段は、入力を受け付けた番組データの利用形態、番組データの利用時のセキュリティレベル、素材映像データの作成時点からの経過時間又は素材映像データの画質に対応する著作権の基本使用料を前記使用料記憶手段から読み出す
ことを特徴とする請求項６に記載の映像編集装置。
【請求項８】
前記映像編集装置は、さらに、
外部から素材映像データに対応付けられた著作権の基本使用料を取得し、前記使用料記憶手段に取得した素材映像データに対応付けられた著作権の基本使用料を書き込む情報取得手段
を含むことを特徴とする請求項１に記載の映像編集装置。
【請求項９】
前記映像編集装置は、素材映像データに対応付けられた著作権の基本使用料を示す著作権情報を供給する著作権情報供給装置に通信回線を介して接続され、
前記情報取得手段は、前記著作権情報供給装置から素材映像データに対応付けられた著作権の基本使用料を取得する
ことを特徴とする請求項８に記載の映像編集装置。
【請求項１０】
可搬可能な記録媒体は、素材映像データに対応付けられた著作権の基本使用料を示す著作権情報を予め記録しており、
前記情報取得手段は、前記記録媒体から素材映像データに対応付けられた著作権の基本使用料を取得する
ことを特徴とする請求項８に記載の映像編集装置。
【請求項１１】
複数の素材映像データを編集して１個の番組データを生成する映像編集装置で用いられる映像編集方法あって、
前記映像編集装置は、複数の素材映像データを編集して生成された１個の番組データを記憶している番組データ記憶手段と、各素材映像データに対応付けて著作権の基本使用料を記憶している使用料記憶手段とを備え、
前記映像編集方法は、
前記使用料記憶手段に記憶されている各素材映像データに対応付けられた基本使用料を用いて、前記番組データの著作権の総使用料を算出する算出ステップを含み、
前記番組データ記憶手段に記憶されている前記番組データは、複数個の編集映像データから構成されており、各編集映像データは、前記複数の素材映像データのうちのいずれか１個の素材映像データを元にして生成され、前記素材映像データの全体又は部分の映像データであり、
前記使用料記憶手段は、素材映像データのうちの使用する映像データの長さに応じた著作権の基本使用料を記憶しており、
前記算出ステップは、前記番組データを構成する編集映像データ毎に、前記編集映像データの元の素材映像データに対応付けて記憶されている前記著作権の基本使用料を用いて、前記編集映像データの長さに応じて、前記編集映像データの著作権の使用料を算出し、編集映像データ毎に算出した著作権の使用料を合計して前記番組データの著作権の総使用料を算出する
ことを特徴とする映像編集方法。
【請求項１２】
前記映像編集方法は、さらに、
利用者より著作権の総使用料の限度額の入力を受け付ける限度額受付ステップと、
前記算出ステップにより算出された前記番組データの著作権の総使用料と、入力が受け付けられた限度額とを比較して、算出された総使用料が限度額より大きいか否かを判断する限度額判断ステップと、
前記限度額判断ステップにより、総使用料が限度額より大きいと判断される場合に、その旨を示す警告を利用者に対して出力する警告ステップと
を含むことを特徴とする請求項１１に記載の映像編集方法。
【請求項１３】
前記映像編集方法は、さらに、
前記番組データ記憶手段に記憶されている前記複数個の編集映像データのいずれかについて、編集映像データの一部を削除する映像再編集ステップと、
前記限度額判断ステップにより、著作権の総使用料が限度額より大きいと判断される場合に、算出された前記著作権の総使用料が、入力が受け付けられた限度額を超えないようになるまで、前記映像再編集ステップ、算出ステップ及び限度額判断ステップに対して、編集映像データの一部の削除、著作権の総使用料の算出、及び限度額の判断を繰り返すように制御する繰返制御ステップとを含む
ことを特徴とする請求項１２に記載の映像編集方法。
【請求項１４】
複数の素材映像データを編集して１個の番組データを生成する映像編集装置で用いられる映像編集プログラムを記録しているコンピュータ読み取り可能な記録媒体あって、
前記映像編集装置は、複数の素材映像データを編集して生成された１個の番組データを記憶している番組データ記憶手段と、各素材映像データに対応付けて著作権の基本使用料を記憶している使用料記憶手段とを備え、
前記映像編集プログラムは、
前記使用料記憶手段に記憶されている各素材映像データに対応付けられた基本使用料を用いて、前記番組データの著作権の総使用料を算出する算出ステップを含み、
前記番組データ記憶手段に記憶されている前記番組データは、複数個の編集映像データから構成されており、各編集映像データは、前記複数の素材映像データのうちのいずれか１個の素材映像データを元にして生成され、前記素材映像データの全体又は部分の映像データであり、
前記使用料記憶手段は、素材映像データのうちの使用する映像データの長さに応じた著作権の基本使用料を記憶しており、
前記算出ステップは、前記番組データを構成する編集映像データ毎に、前記編集映像データの元の素材映像データに対応付けて記憶されている前記著作権の基本使用料を用いて、前記編集映像データの長さに応じて、前記編集映像データの著作権の使用料を算出し、編集映像データ毎に算出した著作権の使用料を合計して前記番組データの著作権の総使用料を算出する
ことを特徴とする記録媒体。
【請求項１５】
前記映像編集プログラムは、さらに、
利用者より著作権の総使用料の限度額の入力を受け付ける限度額受付ステップと、
前記算出ステップにより算出された前記番組データの著作権の総使用料と、入力が受け付けられた限度額とを比較して、算出された総使用料が限度額より大きいか否かを判断する限度額判断ステップと、
前記限度額判断ステップにより、総使用料が限度額より大きいと判断される場合に、その旨を示す警告を利用者に対して出力する警告ステップと
を含むことを特徴とする請求項１４に記載の記録媒体。
【請求項１６】
前記映像編集プログラムは、さらに、
前記番組データ記憶手段に記憶されている前記複数個の編集映像データのいずれかについて、編集映像データの一部を削除する映像再編集ステップと、
前記限度額判断ステップにより、著作権の総使用料が限度額より大きいと判断される場合に、算出された前記著作権の総使用料が、入力が受け付けられた限度額を超えないようになるまで、前記映像再編集ステップ、算出ステップ及び限度額判断ステップに対して、編集映像データの一部の削除、著作権の総使用料の算出、及び限度額の判断を繰り返すように制御する繰返制御ステップとを含む
ことを特徴とする請求項１５に記載の記録媒体。
【請求項１７】
素材映像データは、複数の部分映像データから構成され、
前記番組データ記憶手段に記憶されている各編集映像データは、素材映像データを構成する複数の部分映像データから選択されたいくつかの部分映像データから構成され、
前記使用料記憶手段は、各素材映像データを構成する部分映像データ毎に、使用する際に削除が可能か否かを示す削除可否情報を対応付けて記憶しており、
前記映像再編集ステップは、編集映像データを構成する部分映像データのうち、削除が可能であること示す削除可否情報が対応付けられて記憶されている部分映像データの一部を削除する
ことを特徴とする請求項１６に記載の記録媒体。